(57)【特許請求の範囲】
【請求項１】
高速ストリーム切替の方法であって、
少なくとも１つの第１のプログラムに対応する少なくとも１つの第１のストリームをデバイスで受信することと、ここにおいて前記デバイスは、動的電力マネジメントを用い、第１の電力レベルで動作しており、
複数のチャネルを図表を用いて例証する選択パネルを作動させることと、前記選択パネルはカーソルを含み、
前記選択パネルが作動している間中、前記複数のチャネルに対応する複数のストリームを受信することと、
前記選択パネルが作動している間中、第２の電力レベルで動作することと、ここにおいて前記第２の電力レベルは、前記複数のストリームを受信するために前記第１の電力レベルより高い電力レベルであり、
前記カーソルが移動すると、前記カーソルの近くにある、前記選択パネル内のアイコンをもつ前記チャネルの１つを作動させ、前記カーソルから離れている、前記選択パネル内のアイコンをもつ前記チャネルの１つを停止させることと、
第２のプログラムに対応するチャネル選択を受信することと、
前記チャネル選択を受信することに応じて第２のストリームに切り替えることと、ここにおいて前記動的電力マネジメントは、前記第２のストリームに切り替えた後に前記第１の電力レベルで動作するように前記デバイスを切り替える、
を具備する、高速ストリーム切替の方法。
【請求項２】
前記第２の電力レベルは、連続モードである、請求項１記載の方法。
【請求項３】
前記複数のストリーム上でパワーグルーピングを実行すること
を更に具備する、請求項１記載の方法。
【請求項４】
前記少なくとも１つの第１のストリーム上でパワーグルーピングを実行すること
を更に具備する、請求項１記載の方法。
【請求項５】
前記第２のストリームをデコードし、フロント・エンド処理をもって前記デコードすることに同期させること
を更に具備する、請求項１記載の方法。
【請求項６】
前記第１の電力レベルで動作する場合に、タイムスライシングを実行すること
を更に具備する、請求項１記載の方法。
【請求項７】
前記選択パネルのプレビュー枠内に前記カーソルによって強調される小さいバージョンのチャネルを表示すること
を更に具備する、請求項１に記載の方法。
【請求項８】
前記選択パネルが作動している間中、優先度に従ってプリファレンスリスト内の前記チャネルの１つを作動させ、その他のチャネルより前記カーソルの近くにあるアイコンをもつ前記チャネルのために１つまたは複数のチャネルをオープンにさせること
を更に具備する、請求項１記載の方法。
【請求項９】
ユーザの視聴習慣に基づいて、前記プリファレンスリストを生成すること
を更に具備する、請求項８記載の方法。
【請求項１０】
前記プリファレンスリスト内の大部分のチャネルを運ぶ無線周波数に、より高い優先度を与えること
を更に具備する、請求項８記載の方法。
【請求項１１】
チャネル選択が完了される後に、選択されなかったチャネルを停止させること
を更に具備する、請求項８記載の方法。
【請求項１２】
高速ストリーム切替を実行するように構成されるモバイルデバイスであって、
複数のチャネルに対応する複数のストリームを受信するように構成される受信機と、
ユーザ入力を受信するように構成される選択パネルと、前記選択パネルは、前記複数のチャネルを図表を用いて例証し、前記選択パネルはカーソルを含み、
前記受信機によって受信されるストリーム数を決定するように構成されるマルチプロトコル・カプセル化・前進型誤信号訂正モジュールと、
動的電力マネジメントを実行するように、かつ、前記受信されるストリーム数に基づいて、前記モバイルデバイスの電力消費を調整するように構成される電力シーケンシングモジュールと、前記モバイルデバイスは、前記選択パネルが作動している間中、複数のストリームを受信し、ここにおいて、前記カーソルが移動すると、前記モバイルデバイスは、前記カーソルの近くにある、前記選択パネル内のアイコンをもつ前記チャネルの１つを作動させ、前記カーソルから離れている、前記選択パネル内のアイコンをもつ前記チャネルの１つを停止させる、
を具備する、モバイルデバイス。
【請求項１３】
パワーグルーピングを実行するように構成されるマルチストリーム伝送プロセッサ
を更に具備する、請求項１２記載のモバイルデバイス。
【請求項１４】
フロント・エンド処理を実行するように構成されるフロント・エンド・ブロックと、
ビデオ・デコーディングを実行するように構成されるビデオ・デコーダと、ここにおいて、前記ビデオ・デコーダは、前記フロント・エンド処理と並行してデコードするように、かつ、前記フロント・エンド処理に同調させるように構成される、
を更に具備する、請求項１３記載のモバイルデバイス。
【請求項１５】
前記選択パネルは、前記カーソルによって強調される小さいバージョンのチャネルを表示するプレビュー枠を含む、請求項１２記載のモバイルデバイス。
【請求項１６】
前記モバイルデバイスは、前記選択パネルが作動している間中、優先度に従ってプリファレンスリスト内の前記チャネルの１つを作動させ、その他のチャネルより前記カーソルの近くにあるアイコンをもつ前記チャネルのために１つまたは複数のチャネルをオープンにさせるように構成される、請求項１２記載のモバイルデバイス。
【請求項１７】
前記モバイルデバイスは、ユーザの視聴習慣に基づいて、前記プリファレンスリストを生成するように構成される、請求項１６記載のモバイルデバイス。
【請求項１８】
前記モバイルデバイスは、前記プリファレンスリスト内の大部分のチャネルを運ぶ無線周波数に、より高い優先度を与えるように構成される、請求項１６記載のモバイルデバイス。
【請求項１９】
前記モバイルデバイスは、チャネル選択が完了される後に、選択されなかったチャネルを停止させるように構成される、請求項１６記載のモバイルデバイス。
【請求項２０】
デバイスによって実行可能な記憶された命令の組を有する機械可読記憶媒体であって、前記命令が実行されると、動作を実行するように適合させられ、
前記命令は、
少なくとも１つの第１のプログラムに対応する少なくとも１つの第１のストリームを前記デバイスで受信し、ここにおいて前記デバイスは、動的電力マネジメントを用い、第１の電力レベルで動作しており、
複数のチャネルを図表を用いて例証する選択パネルを作動させ、前記選択パネルはカーソルを含み、
前記選択パネルが作動している間中、前記複数のチャネルに対応する複数のストリームを受信し、
前記選択パネルが作動している間中、第２の電力レベルで動作し、ここにおいて前記第２の電力レベルは、前記複数のストリームを受信するために前記第１の電力レベルより高い電力レベルであり、
前記カーソルが移動すると、前記カーソルの近くにある、前記選択パネル内のアイコンをもつ前記チャネルの１つを作動させ、前記カーソルから離れている、前記選択パネル内のアイコンをもつ前記チャネルの１つを停止させ、
第２のプログラムに対応するチャネル選択を受信し、
前記チャネル選択を受信することに応じて第２のストリームに切り替え、ここにおいて前記動的電力マネジメントは、前記第２のストリームに切り替えた後に前記第１の電力レベルで動作するように前記デバイスを切り替える、
を具備する、機械可読記憶媒体。
【請求項２１】
複数のチャネルを図表を用いて例証する選択パネルを作動させるためのプロセッサによって実行可能な命令と、前記選択パネルはカーソルを含み、
前記選択パネルが作動している間中、前記複数のチャネルに対応する複数のストリームを受信するための前記プロセッサによって実行可能な命令と、
前記選択パネルが作動している間中、第２の電力レベルで動作するための前記プロセッサによって実行可能な命令と、
前記カーソルが移動すると、前記カーソルの近くにある、前記選択パネル内のアイコンをもつ前記チャネルの１つを作動させ、前記カーソルから離れている、前記選択パネル内のアイコンをもつ前記チャネルの１つを停止させるための前記プロセッサによって実行可能な命令と、
第２のプログラムに対応するチャネル選択を受信するための前記プロセッサによって実行可能な命令と、
前記チャネル選択を受信することに応じて第２のストリームに切り替えるための前記プロセッサによって実行可能な命令と、ここにおいて前記動的電力マネジメントは、前記第２のストリームに切り替えた後に前記第１の電力レベルで動作するように前記デバイスを切り替える、
を記憶する、コンピュータ可読記憶媒体。
【請求項２２】
前記第２の電力レベルは、連続モードである、請求項２１記載のコンピュータ可読記憶媒体。
【請求項２３】
前記複数のストリーム上でパワーグルーピングを実行するための前記プロセッサによって実行可能な命令
を更に記憶する、請求項２１記載のコンピュータ可読記憶媒体。
【請求項２４】
前記少なくとも１つの第１のストリーム上でパワーグルーピングを実行するための前記プロセッサによって実行可能な命令
を更に記憶する、請求項２１記載のコンピュータ可読記憶媒体。
【請求項２５】
前記第２のストリームをデコードし、フロント・エンド処理をもって前記デコードすることに同期させるための前記プロセッサによって実行可能な命令
を更に記憶する、請求項２１記載のコンピュータ可読記憶媒体。
【請求項２６】
前記第１の電力レベルで動作する場合に、タイムスライシングを実行するための前記プロセッサによって実行可能な命令
を更に記憶する、請求項２１記載のコンピュータ可読記憶媒体。
【請求項２７】
前記選択パネルのプレビュー枠内に前記カーソルによって強調される小さいバージョンのチャネルを表示するための前記プロセッサによって実行可能な命令
を更に記憶する、請求項２１記載のコンピュータ可読記憶媒体。
【請求項２８】
前記選択パネルが作動している間中、優先度に従ってプリファレンスリスト内の前記チャネルの１つを作動させ、その他のチャネルより前記カーソルの近くにあるアイコンをもつ前記チャネルのために１つまたは複数のチャネルをオープンにさせるための前記プロセッサによって実行可能な命令
を更に記憶する、請求項２１記載のコンピュータ可読記憶媒体。
【請求項２９】
ユーザの視聴習慣に基づいて、前記プリファレンスリストを生成するための前記プロセッサによって実行可能な命令
を更に記憶する、請求項２８記載のコンピュータ可読記憶媒体。
【請求項３０】
前記プリファレンスリスト内の大部分のチャネルを運ぶ無線周波数に、より高い優先度を与えるための前記プロセッサによって実行可能な命令
を更に記憶する、請求項２８記載のコンピュータ可読記憶媒体。
【請求項３１】
チャネル選択が完了される後に、選択されなかったチャネルを停止させるための前記プロセッサによって実行可能な命令
を更に記憶する、請求項２８記載のコンピュータ可読記憶媒体。
【請求項３２】
高速ストリーム切替を実行するように構成されるモバイルデバイスであって、
少なくとも１つの第１のプログラムに対応する少なくとも１つの第１のストリームをデバイスで受信する手段と、ここにおいて前記デバイスは、動的電力マネジメントを用い、第１の電力レベルで動作しており、
複数のチャネルを図表を用いて例証する選択パネルを作動させる手段と、前記選択パネルはカーソルを含み、
前記選択パネルが作動している間中、前記複数のチャネルに対応する複数のストリームを受信する手段と、
前記選択パネルが作動している間中、第２の電力レベルで動作する手段と、ここにおいて前記第２の電力レベルは、前記複数のストリームを受信するために前記第１の電力レベルより高い電力レベルであり、
前記カーソルが移動すると、前記カーソルの近くにある、前記選択パネル内のアイコンをもつ前記チャネルの１つを作動させ、前記カーソルから離れている、前記選択パネル内のアイコンをもつ前記チャネルの１つを停止させる手段と、
第２のプログラムに対応するチャネル選択を受信する手段と、
前記チャネル選択を受信することに応じて第２のストリームに切り替える手段と、ここにおいて前記動的電力マネジメントは、前記第２のストリームに切り替えた後に前記第１の電力レベルで動作するように前記デバイスを切り替える、
を具備する、モバイルデバイス。
【請求項３３】
前記選択パネルが作動している間中、優先度に従ってプリファレンスリスト内の前記チャネルの１つを作動させ、その他のチャネルより前記カーソルの近くにあるアイコンをもつ前記チャネルのために１つまたは複数のチャネルをオープンにさせる手段を備える、請求項３２記載のモバイルデバイス。
【請求項３４】
ユーザの視聴習慣に基づいて、前記プリファレンスリストを生成する手段を備える、請求項３３記載のモバイルデバイス。
【発明の詳細な説明】
【関連出願の参照】
【０００１】
【技術分野】
【０００２】
本願は、放送システムに関連する。
【背景技術】
【０００３】
テレビジョン・システムにおいて、チャネルガイド又はメニューを見るための能力はポピュラーな特徴である。チャネルガイドは、チャネルを選択する前に、ユーザがプログラムタイトル及び内容を調べることを可能にする。アナログ・テレビジョン・システムにおいて、チャネルは、各チャネルの内容をリストアップするだろうテレビジョン・ガイド・チャネルとして献呈されたが、相互作用的でなかった。しかしながら、デジタルシステムにおいて、ユーザは、動的に更新される相互作用的なテレビジョンガイドを示され、ユーザが追加のプログラミング情報（例えば、プログラム解説）を調べることを可能にし、かつ、ユーザがチャネル間を切り替えることを可能にする。相互作用的なテレビジョンガイドは、全てのチャネルからの信号を受信し、プログラミング情報を含むチャネルリストを生成する。しかしながら、これは、モバイルデバイスに配置される場合に、さらなる帯域幅及び高い電力消費を典型的に要求する。
【０００４】
バッテリ寿命はモバイルデバイスにおける重要な特徴であるので、バッテリ寿命を延ばし、かつ、オーバーヒートするのを防ぎうる、電力マネジメントが全システムの電力消費を最小にするために利用される。
【０００５】
例えば、ＤＶＢ−Ｈは、マルチプロトコル・カプセル化（ＭＰＥ）、ＭＰＥ前進型誤信号訂正（ＭＰＥ−ＦＥＣ）、及びモバイルデバイスのための電力マネジメントスキームの一部としてタイムスライシングを実現する。
【０００６】
タイムスライシングは、非伝送の期間に続いたバースト内のデータ・トラフィックの伝送を備える。バースト伝送は、タイムスライスと呼ばれる。ＤＶＢ−Ｈハンドセットの電力消費を減らすために、ＤＶＢ−Ｈハンドセットはタイムスライスが続く限り、受信機をシャットダウンしうる。
【０００７】
典型的なＤＶＢ−Ｈ通信において、複数の入力ストリームは、個々の基本ストリームとして異なるソースによって受信される。入力ストリームは、選択されたタイムスライシング方法に従って多重送信される。追加層の誤信号訂正を提供するＭＰＥ−ＦＥＣコード化は、それぞれ個々の基本ストリームのために別々に実行される。システムはデータパケットのＭＰＥカプセル化を実行し、伝送ストリームの中に埋め込む。
【０００８】
単一ストリーム伝送を受信することに加えて、ＤＶＢ−Ｈガイドラインは、単一基本ストリームの中に埋め込まれる複数のサービスと同様に、同じバーストの中に埋め込まれる複数の基本ストリームの受信をサポートする。以下により詳細に記述されるようにＤＶＢ−Ｈ内の複数の基本ストリームを伝送するための３つのシナリオがある。複数のストリーム電力マネジメントの設計を例証するために、２つの基本ストリームを用いる例が、全ての３つのシナリオのために示される。
【０００９】
図１は同一のストリーム上に送信される複数のチャネルを受信するＤＶＢ−Ｈハンドセットの電力マネジメントを示すグラフである。
【００１０】
図２は複数のチャネルを受信するＤＶＢ−Ｈハンドセットの電力マネジメントを示すグラフであり、ここにおいてサービスは隣接するストリーム上に配置される。
【００１１】
図３は複数のチャネルを受信するＤＶＢ−Ｈハンドセットの電力マネジメントを示すグラフであり、ここにおいてサービスは孤立させられたストリーム上に配置される。
【００１２】
動的電力マネジメントを用いるマルチストリーム及び単一ストリーム・アプリケーションのための高速ストリーム切替のための方法が望まれる。
【発明の概要】
【００１３】
高速ストリーム切替の方法が開示される。高速ストリーム切替の間に電力消費を減らすために、方法は少なくとも１つの第１のプログラムに対応するデバイスで少なくとも１つの第１のストリームを受信することと、選択パネルを作動させることと、複数のプログラムに対応する複数のストリームを受信することと、第２の電力レベルを調整することとを含んでもよい。ここにおいて、デバイスは動的電力マネジメントを用い、第１の電力レベルで動作する。ストリームが選択される後に、非選択ストリームは動作を停止されてもよいし、デバイスは第１の電力レベルに戻ってもよい。
【図面の簡単な説明】
【００１４】
より詳細な理解が、以下の記述から得られてもよいし、添付する図面に関連する例として与えられてもよい。
【図１】図１は同一のストリーム上に送信されるＤＶＢ−Ｈハンドセットの電力マネジメントを示すグラフである。
【図２】図２は複数のチャネルを受信するＤＶＢ−Ｈハンドセットの電力マネジメントを示すグラフであり、ここにおいてサービスは隣接するストリーム上に配置される。
【図３】図３は複数のチャネルを受信するＤＶＢ−Ｈハンドセットの電力マネジメントを示すグラフであり、ここにおいてサービスは孤立させられたストリーム上に配置される。
【図４】図４は高速ストリーム切替をもって用いられる動的電力制御の一例を示すフロー図である。
【図５】図５はＴＶ選択パネルの一例である。
【図６】図６は複数のストリームモバイルデバイス６００のブロック図である。
【図７】図７は図６の受信機６２０のブロック図である。
【図８Ａ】図８ＡはＤＶＢ−Ｈシステム内で実現される高速ストリーム切替のための処理のトップレベルブロック図である。
【図８Ｂ】図８ＢはＤＶＢ−Ｈシステム内で実現される高速ストリーム切替のための処理のトップレベルブロック図である。
【発明を実施するための形態】
【００１５】
デバイスが複数のストリームを受信可能である場合において、高速ストリーム切替スキームは、視聴者にとって重要であってもよい。高速ストリーム切替は、送信機で新しいストリームを始めることを含み、受信機側を変化させることなく成し遂げられる敏速なチャネル切替の方法である。モバイルデバイス内でこのような動作を実行するために、モバイルデバイスは、ＴＶ選択パネルを生成するために処理され、デコードされるであろう複数のストリームを受信してもよい。しかしながら、複数のストリームを受信すること及びデコードすることは、モバイルデバイスにとって極めて望ましくない、高いレベルの電力消費を要求する。
【００１６】
図４は、高速ストリーム切替を用いる動的電力制御の方法のフロー図である。ユーザはモバイルデバイスを作動させる（４１０）。モバイルデバイスは、１つのチャネルが見られる（又は、ピクチャ・イン・ピクチャ特徴が作動させられる場合に、複数のチャネル）標準視聴モード（換言すると、最大数のストリームより少ないストリームが受信される）で動作する。標準モードで動作している間、モバイルデバイスは、電力消費を減らすために動的電力マネジメントを用いて動作する（４２０）。換言すると、動的電力マネジメントは、以下に更により詳細に記述されるであろうように、モバイルデバイスの選択された構成要素の動力を減らすために、タイムスライシング及びスケジューリングを用いる。選択パネルを作動させるための要求（換言すると、メニュー）が受信されるまで、モバイルデバイスは低電力モードで動作する（４３０）。モバイルデバイスは、高速ストリーム切替を実行するために選択パネルを作動させる（４４０）。いったんユーザが選択パネルを作動させると、動的電力マネジメントは連続モード（常時電源オン）に切り替え、モバイルデバイスによってサポートされうる最大数のビデオ・ストリーム（ＴＶチャネル）を受信する（４５０）。
【００１７】
選択パネルがアクティブである間、モバイルデバイスは、受信機内の全ての構成要素が電源オンであってもよいことを意味する連続モードで動作する。チャネル（及びそれに関して対応するストリーム）が選択される後に、全ての非選択ストリームが動作を停止される（４６０）。動的電力マネジメントは、米国特許出願第１２／１７０，４９１に示されるマルチストリーム・動的電力マネジメントスキームに従って、選択ストリームを再編成する。再編成が完了される後に、意味のある電力節約が成し遂げられうる場合に、動的電力マネジメントはタイムスライシングを作動させるであろう。また、単一ストリームモードで動作しているモバイルデバイスのために、モバイルデバイスは選択チャネルに切り替え、タイムスライシングを作動させる。さもなければ、ユーザが新しいチャネルを選択する又は現在のセッションが終了するまで、動的電力マネジメントは連続モードでモバイルデバイスを動作させ続けるであろう。
【００１８】
図５は選択パネル５００の一例である。高速ストリーム切替は、ディスプレイ上でユーザに見える選択パネル５００によって制御されてもよい。選択パネルは、プレビュー枠５０５、当業者は任意の数のチャネルが実現されてもよいことを理解するであろうが（ＣＨ１−ＣＨ７）５１０−５１６として図表を用いて例証される複数のチャネル、及びカーソル５２０を備える。選択パネル５００は、ユーザ動作制御又は任意のその他の入力デバイスによって制御されてもよい。プレビュー枠５０５は、カーソル５２０によって強調される小さいバージョンのチャネルを表示し、選択パネル５００内の選択肢を熟読している間、ユーザはプレビュー枠５０５を見てもよい。カーソルは選択パネル５００内の選択チャネルを強調するために用いられる。選択パネル５００は、プログラムを既に見ている間に、ユーザがチャネルを変える場合、ユーザに示されるチャネルの選択肢が、最初ユーザがＴＶプログラムを見る時とは異なるように構成されてもよい。最初ユーザが選択パネル５００を作動させた時は、モバイルデバイスは予め記憶されたＴＶチャネルリスト内の全てのストリームを処理する。１つの実施形態において、予め記憶されたチャネルリストは、その他のユーザ間での一般的な人気に基づいて決定されうる。最初に使用する後に、ユーザは、チャネルを選択し、かつ、好ましいＴＶチャネルリスト内のそれらを手動で記憶する顧客によって、特注の好ましいＴＶチャネルリストを生成してもよい。一定期間（例えば、数週間又は数か月）の後に、特注の好ましいＴＶチャネルリストがない場合、モバイルデバイスは、この特定のユーザの視聴習慣に基づいて、個人の好みに合わせたＴＶチャネルリストを生成してもよい。ユーザが予め記憶されたリストを選択しない、又は、特注の好ましいＴＶチャネルリストを生成しない限り、このリストがデフォルトリストになる。デフォルトによって用いられるＴＶチャネルリストはプリファレンスリストと呼ばれる。
【００１９】
図６は複数のストリームモバイルデバイス６００のブロック図である。モバイルデバイス６００は、アンテナ６０５、ホスト・マルチメディア・チップセット６１０、受信機６２０、及び５つの別々のサービスに対応する５つのストリーム６５０−６５４を備える。５つのストリームが示されるけれども、当業者は任意の数のストリームが実現されてもよいことを理解するであろう。ホスト・マルチメディア・チップセット６１０は、制御モジュール６１１、オーディオ・デコーダ６１２、及びビデオ・デコーダ６１３を備える。モバイルデバイス６００は、主なディスプレイ、ピクチャ・イン・ピクチャのための補助的なディスプレイ、及び同時記録のための複数のストリームを含む、各ユーザへの複数のサービスをサポートするように構成される。各々は、高速ストリーム切替のための方法を実行するように構成される。高速ストリーム切替に加えて、全ての構成要素は、本明細書の参照文献によって組込まれる米国特許出願第１２／１７０，４９１に開示されるような、動的電力マネジメントを実行するように構成されてもよい。
【００２０】
図７は図６の受信機６２０のブロック図である。受信機６２０は、ＲＦ入力７０５、チューナ７１０、フロント・エンド・ブロック７１５、高速フーリエ変換（ＦＥＴ）マルチシグナル・イコライザ７２０、中央処理装置（ＣＰＵ）７２５、同調ブロック７３０、前進型誤信号訂正（ＦＥＣ）ブロック７３５、ビデオ・レンダリング・ブロック７４０、複数のビデオ・デコーダを含むＭＦＥＣ７４５、マルチストリーム伝送プロセッサ（ＭＴＳＰ）７５０、及び電力シーケンシングモジュール７５５を備える。受信機６２０は、高速ストリーム切替及び動的電力マネジメントのための方法を実行するように構成される。
【００２１】
ＭＦＥＣ７４５は、ＩＰデータグラム内の検出された誤信号を訂正するように構成され、モバイルデバイス６００によって同時に再生されうるストリーム数を予期するように構成される。いったんＭＦＥＣ７４５がストリーム数を決定すると、個々の構成要素のオン及びオフタイムを決定してもよい。ＭＦＥＣ７４５はＭＴＳＰ７５０にオン及びオフタイムを信号で知らせてもよい。
【００２２】
ＭＴＳＰ７５０は、各バースト・サイクル期間内の複数のストリームを処理してもよい。ＭＴＳＰ７５０は、複数のストリームを個々のパーツに分けてもよいし、バッファ又はＭＦＥＣ７４５にそれらを送信してもよい。ＭＴＳＰ７５０は様々な構成要素のオン及びオフタイムを受信してもよいし、ＤＶＢ−Ｈ受信機の様々な構成要素の動力を減らしてもよいし、動力を増やしてもよい。１つの実施形態において、ＭＴＳＰ７５０はパワーグルーピングを実行するように構成されてもよい。パワーグルーピングを決定するために、バーストの時間間隔、最小電力節約、及びバースト・サイクル期間を含む数個の要素が考慮されなければならない。これはパワーグルーピングの唯一の例であり、その他の要素が考慮されてもよい。
【００２３】
また、電力シーケンシングモジュール７５５は、モバイルデバイスの電力マネジメントを実行するように構成されてもよい。１つの実施形態において、電力シーケンシングモジュールは、チューナ７１０、フロント・エンド・ブロック７１５、ＦＦＴ、同調ブロック７３０、ＦＥＣブロック７３５、ＭＴＳＰ７５０、及び動的電力マネジメント転換に依存するＭＦＥＣ７４５の動力を減らすように構成されてもよいし、動力を増やすように構成されてもよい。ＣＰＵ７２５が典型的に常時オンである間、減少した電力状態において、ＣＰＵ７２５の電力は、クロック・スピード・リダクションをもって減らされてもよい。電力シーケンシングモジュール７５５は、ＭＴＳＰ７５０及びＭＦＥＣ７４５に接続して、又は、独立型ユニットとして電力マネジメントを実行してもよい。
【００２４】
フロント・エンド・ブロック７１５は、周波数オフセット訂正、フィルタリング、周波数オフセット評価、及びガードインターバル除去を含む、モバイルデバイス６００上で実現されるフロント・エンド処理を実行するように構成される。
【００２５】
高速フーリエ変換（ＦＥＴ）マルチシグナル・イコライザ７２０は、時間領域信号を受信するように構成され、時間領域信号のディスクリート・フーリエ変換（ＤＦＴ）を計算するように構成され、それを周波数領域信号に変換するように構成される。
【００２６】
同調ブロック７３０は、挿入されたパイロット信号又はＴＰＳ信号に基づいて、ノイズ電力を評価することによってチャネル評価を生成する。
【００２７】
ＦＥＣブロック７３５は、信号の前進型誤信号訂正デコーディングを提供する。
【００２８】
ビデオ・レンダリング・ブロック７４０は、ビデオイメージにするために受信されたビデオ信号をデコードする。
【００２９】
ＣＰＵ７２５は、ＲＦ入力／出力を制御するように構成される。ＣＰＵ７２５は、ビデオ改良、グラフィック処理、オーディオ・デコーディング等のためにデータ信号処理特徴を実行するように構成されてもよい。主な機能がビデオデータ伝送のための復調／変調機能を統合することであるので、ＣＰＵ７２５はベースバンドプロセッサと呼ばれてもよい。
【００３０】
マルチ周波数ネットワーク（ＭＦＮ）の場合において、モバイルデバイス６００がリスト内の全てのＴＶチャネルをサポートできない場合、（それらが異なる無線周波数上で広げられるので）モバイルデバイス６００は伝達を優先するように構成されてもよい。例えば、モバイルデバイス６００は、プリファレンスリスト内の大部分のＴＶプログラムを運ぶ無線周波数に、より高い優先度を認めてもよいし、最も見られたＴＶチャネルを運ぶ無線周波数に、より高い優先度を与えてもよい。
【００３１】
プリファレンスリストに基づく切替スキームに加えて、２つ又は３つのＴＶチャネル処理性能は、カーソルが選択パネル５００上のチャネルネーム又はそれらのアイコンの最も近くにある、チャネルを予約されてもよい。換言すると、アクティブ・ストリーム・リストは、ストリームの最後のリストがユーザの選択によって決定されるまで、いくつかのアクティブ・ストリーム・リストは変えられなくてもよいが、連続的に変えられる。
【００３２】
図８Ａ及び図８Ｂは、ＤＶＢ−Ｈシステム内で実現される高速ストリーム切替のための処理のトップレベルブロック図を示す。ユーザはＤＶＢ−Ｈチューナを作動させることによってセッションを始める。前回のセッションにおいて見られた最後のＴＶチャネルが作動させられ、ピクチャ・イン・ピクチャ特徴が前もってアクティブであった場合に、これは複数のチャネルを含んでもよい（８０５）。受信機は、動的電力マネジメント・タイムスライシングモードを開始する（８１０）。前回のセッションにおいて見た最後のＴＶチャネルが表示される（８１５）。チャネル選択パネルが作動させられるまで、最後のＴＶチャネルは表示される（８２０）。
【００３３】
チャネル選択パネルが作動させられる場合、タイムスライシングモードは停止され、受信機は連続（全ての時間電源オン）モード戻る（８２５）。カーソルトラッキングが作動させられるまで、受信機は連続モードで動作し続けるであろう（８３０）。カーソルトラッキングが作動させられる場合、プリファレンスリスト内の残りのＴＶチャネルが優先度に従って作動させられる（８３５）。カーソルが移動するような、カーソルトラッキングが作動させられる限り、アイコン／タブがカーソルに最も近いＴＶチャネルは作動させられ、離れているアイコンをもつチャネルは動作を停止される（８４０）。カーソルトラッキングが作動させられない場合、最大数のチャネルが作動させられるまで、プリファレンスリスト内の全ての残りのＴＶチャネルは優先度に従って作動させられる（８４５）。また、ホスト・マルチメディア・チップセット６１０及び受信機６２０の最大処理性能が広がらない場合、プリファレンスリスト内の非アクティブなストリームはリスト内のそれらの優先度に従ってサービスに追加されてもよい。単一ストリームの場合において、見られているストリームがプリファレンスリスト内にある場合、全ての残りのストリームが作動させられるであろう。見られているストリームがプリファレンスリスト内にない場合において、プリファレンスリスト内の最も低い優先度のＴＶチャネルは非アクティブに保たれるであろうが、残りの全ては作動させられるであろう。別のアプローチは、プリファレンスリストから１つのストリームをランダムに選ぶことであり、それを非アクティブに保つことであり、リスト内の残りの全てを追加作動させることである。
【００３４】
ＴＶチャネル選択が完了されるまで、プリファレンスリストは作動させたままである（８５０）。チャネル選択が完了される後に、ＤＶＢ−Ｈマルチメディア・プロセッサ・デコーダは、選択ＴＶチャネルに従って再構成されてもよい（８５５）。非選択ＴＶチャネルは動作を停止される（８６０）。パワーグルーピング及びタイムスライシングが実行されてもよい（８６５）。デバイスは、選択ＴＶチャネルを表示してもよいし、記録してもよい（８７０）。セッションが終了される場合（例えば、タイマー、ユーザ選択、又はパワー・ダウン・プロシージャによって）（８７５）、プリファレンスリストは、リスト内の最も低い優先度をもつＴＶチャネルを現在視聴されるチャネルに取り替えることによって更新されてもよい（８８０）。セッションは終了してもよい（８９０）。また、チャネル選択パネルが再作動させられる場合、前のステップが繰り返されてもよい（８８５）。
【００３５】
上記例がＤＶＢ−Ｈシステム内で用いるために示される一方で、これらはその他の放送ネットワークで用いられてもよい。放送ネットワークの例は、第２世代デジタルビデオ放送−地上波（ＤＶＢ−Ｔ２）デジタルビデオ放送−地上波／ハンドヘルド（ＤＶＢ−Ｔ／Ｈ）、集積サービスデジタル放送（ＩＳＤＢ）−Ｔ、デジタルオーディオ放送−地上波（ＤＡＢ−Ｔ）、地上波−デジタルマルチメディア放送（Ｔ−ＤＭＢ）、デジタルマルチメディア放送−地上波／ハンドヘルド（ＤＭＢ−ＴＨ）、及びメディア−ＦＬＯを含む。
【００３６】
特徴及び構成要素が特定の組合せで上述されるが、各特徴又は構成要素は、その他の特徴及び構成要素あるいは様々な組合せなしに、又は、その他の特徴及び構成要素なしに、単独で用いられてもよい。本明細書に記述される方法又はフローチャートは、汎用コンピュータ又はプロセッサによる実行のためのコンピュータ可読記憶媒体に組込まれるコンピュータ・プログラム、ソフトウェア、又はファームウェアで実現されてもよい。コンピュータ可読記憶媒体の例は、読出し専用メモリ（ＲＯＭ）、ランダム・アクセス・メモリ（ＲＡＭ）、レジスタ、キャッシュメモリ、半導体メモリデバイス、内部ハードディスク及びリムーバルディスクのような磁気メディア、磁気光学メディア、ＣＤ−ＲＯＭディスクのような光学メディア、及びデジタル・バーサル・ディスク（ＤＶＤ）を含む。
【００３７】
適切なプロセッサは、例えば、汎用プロセッサ、特別なプロセッサ、通常のプロセッサ、デジタル信号プロセッサ（ＤＳＰ）、複数のマイクロプロセッサ、ＤＳＰコアに関連する１つ又はそれ以上のマイクロプロセッサ、コントローラ、マイクロコントローラ、特定用途向け集積回路（ＡＳＩＣ）、フィールド・プログラマブル・ゲート・アレイ（ＦＰＧＡ）、任意のその他の型の集積回路、及び／または状態機器を含む。
以下に、本願出願の当初の特許請求の範囲に記載された発明を付記する。
［１］少なくとも１つの第１のプログラムに対応するデバイスで少なくとも１つの第１のストリームを受信することと、ここにおいて前記デバイスは、動的電力マネジメントを用い、第１の電力レベルで動作しており、選択パネルを作動させることと、複数のプログラムに対応する複数のストリームを受信することと、第２の電力レベルを調整することと、ここにおいて前記第２の電力レベルは、ストリームの増加数に適応させるために前記第１の電力レベル、より高い電力レベルであり、第２のプログラムに対応するチャネル選択を受信することと、第２のストリームを切り替えることとを具備し、ここにおいて前記動的電力マネジメントは、前記第１の電力レベルで動作するために前記デバイスを切り替える、高速ストリーム切替の方法。
［２］前記第２の電力レベルは、連続モードである、［１］記載の方法。
［３］前記複数のストリーム上でパワーグルーピングを実行することを更に具備する、［１］記載の方法。
［４］前記少なくとも１つの第１のストリーム上でパワーグルーピングを実行することを更に具備する、［１］記載の方法。
［５］ビデオ・ストリームをデコードすることと、フロント・エンド処理をもって前記デコーディングに同調させることとを更に具備する、［１］記載の方法。
［６］前記第１の電力レベルで動作する場合に、タイムスライシングを実行することを更に具備する、［１］記載の方法。
［７］高速ストリーム切替を実行するように構成されるモバイルデバイスであって、前記モバイルデバイスは、複数のストリームを受信するように構成される受信機と、前記受信機によって受信されるストリーム数を決定するように構成されるマルチプロトコル・カプセル化・前進型誤信号訂正モジュールと、動的電力マネジメントを実行するように、かつ、前記受信されるストリーム数に基づいて、前記モバイルデバイスの前記電力消費を調整するように構成される電力シーケンシングモジュールとを具備する、モバイルデバイス。
［８］パワーグルーピングを実行するように構成されるマルチストリーム伝送プロセッサを更に具備する、［８］記載のモバイルデバイス。
［９］フロント・エンド処理を実行するように構成されるフロント・エンド・ブロックと、ビデオ・デコーディングを実行するように構成されるビデオ・デコーダとを更に具備し、ここにおいて前記ビデオ・デコーダは、前記フロント・エンド処理と並行してデコードするように、かつ、前記フロント・エンド処理に同調させるように構成される、［８］記載のモバイルデバイス。
［１０］前記選択パネルは、テレビジョン・チャネル・リストで構成されている、［８］記載のモバイルデバイス。
［１１］前記テレビジョン・チャネル・リストは、ユーザ・プリファレンス・データに基づいている、［１０］記載のモバイルデバイス。
［１２］機械によって実行可能な記憶された命令の組を有する機械可読記憶媒体であって、前記命令が実行される場合に、動作を実行するために適合させられ、前記命令は、少なくとも１つの第１のプログラムに対応するデバイスで少なくとも１つの第１のストリームを受信し、ここにおいて前記デバイスは、動的電力マネジメントを用い、第１の電力レベルで動作しており、選択パネルを作動させ、複数のプログラムに対応する複数のストリームを受信し、第２の電力レベルを調整し、ここにおいて前記第２の電力レベルは、ストリームの増加数に適応させるために前記第１の電力レベル、より高い電力レベルであり、第２のプログラムに対応するチャネル選択を受信し、第２のストリームを切り替え、ここにおいて動的電力マネジメントは、前記第１の電力レベルで動作するために前記デバイスを切り替える、を具備する、機械可読記憶媒体。
［１３］プロセッサを創造するために適合させた命令の第１組を含むコンピュータ可読媒体であって、ここにおいて前記プロセッサは、命令の第２組を実現するように構成されており、前記命令の第２組は、選択パネルを作動させるための命令と、複数のプログラムに対応する複数のストリームを受信するための命令と、第２の電力レベルを調整するための命令と、第２のプログラムに対応するチャネル選択を受信するための命令と、第２のストリームを切り替えるための命令と、ここにおいて動的電力マネジメントは、前記第１の電力レベルで動作するために前記デバイスを切り替える、を具備する、命令の第２組。
［１４］前記第２の電力レベルは、連続モードである、［１３］記載の命令の第２組。
［１５］前記複数のストリーム上でパワーグルーピングを実行するための命令を更に具備する、［１３］記載の命令の第２組。
［１６］前記少なくとも１つの第１ストリーム上でパワーグルーピングを実行するための命令を更に具備する、［１３］記載の命令の第２組。
［１７］前記ビデオ・ストリームをデコードするための命令と、フロント・エンド処理をもって前記デコーディングに同調させるための命令とを更に具備する、［１３］記載の命令の第２組。
［１８］前記第１の電力レベルで動作する場合に、タイムスライシングを実行するための命令を更に具備する、［１３］記載の命令の第２組。
［１９］ユーザの視聴習慣に基づいて、個人の好みに合わせたプリファレンスリストを生成するための命令を更に具備する、［１３］記載の命令の第２組。
【図１】
0005280543.tif 000002
【図２】
0005280543.tif 000003
【図３】
0005280543.tif 000004
【図４】
0005280543.tif 000005
【図５】
0005280543.tif 000006
【図６】
0005280543.tif 000007
【図７】
0005280543.tif 000008
【図８Ａ】
0005280543.tif 000009
【図８Ｂ】
0005280543.tif 000010